(57)【要約】【課題】表示パネルに形成した貫通孔に取付具を用いて取付面に装着するようにした面発光表示装置において、外見上あたかも表示パネルと取付具しか見えないにも拘わらず、表示パネルに光を照射でき、デザイン性にも優れた面発光表示装置の取付構造及び面発光表示装置用取付具を提供する。【解決手段】取付具の径大部と挿入部との段差部位に対応して、表示パネルの貫通孔近傍にＬＥＤ収納部を形成、又は取付具の挿入部にＬＥＤ収納部を形成し、このＬＥＤ収納部にＬＥＤを収納することにより、取付具の径大部にてＬＥＤ収納部を覆い隠すようにした。【選択図】図２
2011053675.tif 000002
【特許請求の範囲】
【請求項１】
所要位置に装着用の貫通孔を形成した透光性若しくは半透光性の導光板からなる表示パネルと、
上記表示パネルの貫通孔より大きい外形の径大部と、この径大部の一端に設けられた上記表示パネルの貫通孔に挿入される挿入部とを有する非透光性の取付具とを備え、
上記取付具の挿入部を、上記表示パネルの前面側より貫通孔に挿入し、直接又はスペーサ部材を介して取付け面に係止、若しくは予め取付け面に装着されたスペーサ部材の一端に係止することにより、上記表示パネルを取付け面に装着するようにした面発光表示装置の取付構造において、
上記表示パネルの貫通孔の外周部に、上記取付具の径大部と挿入部との段差間に対応位置してＬＥＤ収納部を形成し、同ＬＥＤ収納部内に該表示パネルに光を照射するためのＬＥＤを収納し、装着時上記取付具の径大部にて上記貫通孔及びＬＥＤ収納部を上部から覆い隠すようにしたことを特徴とする面発光表示装置の取付構造。
【請求項２】
下端部に装着用の貫通孔を形成した透光性若しくは半透光性の導光板からなる表示パネルと、
上記表示パネルの貫通孔の背面側に設けられ、表示パネル側端部に係止部を形成した支持足部材と、上記表示パネルの貫通孔の前面側に設けられ、同貫通孔より大きい外形の径大部と、この径大部の一端に設けられた上記表示パネルの貫通孔を介して上記支持足部材の係止部に係合する挿入部とを有する非透光性の取付具を備え、
上記取付具の挿入部を、上記表示パネルの前面側より貫通孔に挿入して上記支持足部材の係止部に係合することにより、上記表示パネルを支持足部材と取付具とで挟持すると共に、該表示パネル下端と支持足部材後端とで載置面上に傾斜状態に表示パネルを保持するようにした卓上式の面発光表示装置の取付構造において、
上記表示パネルの貫通孔の外周部に、上記取付具の径大部と挿入部との段差間に対応位置してＬＥＤ収納部を形成し、同ＬＥＤ収納部内に該表示パネルに光を照射するためのＬＥＤを収納し、装着時取付具の径大部にて上記貫通孔及びＬＥＤ収納部を上部から覆い隠すと共に、上記支持足部材若しくは装着時取付具内部にＬＥＤ電源回路を収納し、上記ＬＥＤからの配線を該ＬＥＤ電源回路と接続するようにしたことを特徴とする卓上式の面発光表示装置の取付構造。
【請求項３】
上記表示パネルに形成したＬＥＤ収納部を、貫通孔の左右両側にそれぞれ形成するようにしたことを特徴とする請求項１又は請求項２に記載の面発光表示装置の取付構造。
【請求項４】
上記表示パネルに形成したＬＥＤ収納部を、表示パネルの中心方向に向かう楕円形状としたことを特徴とする請求項１乃至請求項３のいずれかに記載の面発光表示装置の取付構造。
【請求項５】
表示パネルに形成した貫通孔よりも大きい外形の径大部と、この径大部の一端に設けられた上記表示パネルの貫通孔に挿入される挿入部とを有し、
上記取付具の挿入部を、上記表示パネルの前面側より貫通孔に挿入し、直接又はスペーサ部材を介して取付け面に係止、若しくは予め取付け面に装着されたスペーサ部材の一端に係止することにより、上記表示パネルを取付け面に装着するようにした非透光性の面発光表示装置用取付具において、
上記取付具の挿入部に、該表示パネルの板厚部位に対応してＬＥＤ収納部を形成すると共に、同ＬＥＤ収納部の外周壁の一部に開口部を形成したことを特徴とする面発光表示装置用取付具。
【請求項６】
上記面発光表示装置用取付具の挿入部に形成したＬＥＤ収納部の内面を鏡面としたことを特徴とする請求項５に記載の面発光表示装置用取付具。
【請求項７】
上記ＬＥＤ収納部内に、内部に埋設したＬＥＤとの隙間にシリコン部材を封入するようにしたことを特徴とする請求項１乃至請求項６のいずれかに記載の面発光表示装置の取付構造又は面発光表示装置用取付具。
【発明の詳細な説明】
【技術分野】
【０００１】  本発明は、非常灯、案内灯、部屋の表示ラベル、表札、広告灯、看板、パーテーション等に用いられ、自ら面発光することにより利用者にその表示面に設けられた文字やパターン等を表示するようにした面発光表示装置の取付構造及び面発光表示装置用取付具に関するものである。
【背景技術】
【０００２】  上記面発光表示装置は、アクリル樹脂、ポリ塩化ビニール、ガラスなどから成る透光性若しくは半透光性の導光板の表面に、文字やデザインなどのパターンを印刷、エッチング、又はそれらを印刷したフィルムを貼付して形成した表示パネルを設け、この表示パネルに光源手段から光を照射して上記文字やデザインなどを浮き上がらせて表示するようにしたもので、非常灯、案内灯、部屋の表示ラベル、表札、広告灯、看板、パーテーションなどいろいろな所で使用されている。【０００３】  従来の面発光表示装置としては、表示パネル周囲に支持フレームを設け、この支持フームの一端を天井や壁又は床などに固定する一方、同支持フレーム内の表示パネル裏面側に蛍光灯又は整列させたＬＥＤなどの光源手段を設け、同光源手段から光を照射して同表示パネルの文字やデザインを表示するようにしたバックライト式の面発光表示装置が用いられていた。
しかしながら、表示パネルの裏面側に光源手段を別途設けるため、面発光表示装置本体が厚くなり、デザイン性もあまり良くないものであった。【０００４】  このため、近年ＬＥＤの普及とともに、例えば特許文献１（特開平８−１６０８９２号公報）、特許文献２（特開平９−１７９５１２号公報）、特許文献３（特開２００７−２９８５６５号公報）などに示すように、上記支持フレーム内の表示パネル端面に対向して適数個のＬＥＤを収納し、このＬＥＤにて表示パネル端面から光を照射して、同表示パネルに設けた文字やデザインを表示するようにしたエッジライト式の面発光表示装置が用いられるようになってきた。【０００５】  また、例えば特許文献４（特開２００４−２４６２６０号公報）、特許文献５（特開平８−１４６８９４号公報）などに示すように、上記表示パネルの周囲を覆う支持フレームに代えて表示パネルの一端のみを支持する基台を設け、この基台内に該表示パネル端面に対向してＬＥＤを収納し、上記基台を天井や壁又は床に固定、若しくは卓上に置いて使用するようにしたエッジライト式の面発光表示装置も用いられるようになってきた。【０００６】  これらエッジライト式の面発光表示装置にあっては、支持フレーム内又は基台内に表示パネル端面に対向してＬＥＤを収納するため、表示パネルの裏面側に別途光源手段を設ける必要がなく、薄型化できデザイン的にも好ましいものであった。【０００７】  ところで、デザイン性をより重視して、上記支持フレームや基台などを一切用いず、例えば特許文献６（実用新案登録第３１２８６０１号公報）、特許文献７（実用新案登録第３１４４６０９号公報）、特許文献８（特開２００６−３４３５０５号公報）に示す取付具を用いて、上記表示パネルを直接壁面等に装着するようにした面発光表示装置の取付構造が行われている。【０００８】  上記特許文献６の取付具は、ねじの頭部を円柱形状とし、その頭頂部に十字溝を形成すると共に、円柱形状の外周面にねじ山を形成し、この円柱形状の外周面に形成したねじ山にキャップを螺着するようにしたものである。【０００９】  また、上記特許文献７及び特許文献８の取付具は、一端を予め取付け面（壁面など）に装着されるスペーサ部材と、このスペーサ部材の他端面に係止される固定部材とを備え、表示パネルを予め取付け面（壁面など）に装着されたスペーサ部材と固定部材とで挟持することにより、該表示パネルを取付け面（壁面など）に装着するようにしたものである。なお、特許文献７はスペーサ部材と固定部材とを螺合により係止、特許文献８はスペーサ部材と固定部材とを磁石により係止している。【００１０】  上記特許文献６乃至特許文献８に示す取付具を用いて表示パネルを取付け面（壁面など）に装着するものにおいては、支持フレームや基台も存在せず、一見表示パネルと取付具の頭部しか見えない構造のため、デザイン的に非常に優れたものとなる。
【先行技術文献】
【特許文献】
【００１１】
【特許文献１】特開平８−１６０８９２号公報
【特許文献２】特開平９−１７９５１２号公報
【特許文献３】特開２００７−２９８５６５号公報
【特許文献４】特開２００４−２４６２６０号公報
【特許文献５】特開平８−１４６８９４号公報
【特許文献６】実用新案登録第３１２８６０１号公報
【特許文献７】実用新案登録第３１４４６０９号公報
【特許文献８】特開２００６−３４３５０５号公報
【発明の概要】
【発明が解決しようとする課題】
【００１２】  しかしながら、上記特許文献６乃至特許文献８に示す取付具を用いて面発光表示装置を取付け面（壁面など）に装着するものにおいては、上述したように外見上は表示パネルと取付具の頭部しか見えずデザイン的にも非常に優れたものであるが、光源手段の収納スペースが無いため、別途光源ユニットを配置せざるを得ず、例えば表示パネルの上端にＬＥＤなどを羅列した光源ユニットを装着するようにしていた。このため、せっかくのデザイン性を損なう等の問題点を有するものであった。【００１３】  本発明は上記従来の問題点に鑑みなされたもので、外見上あたかも表示パネルと取付具しか見えないにも拘わらず表示パネルを照射でき、デザイン性にも優れた面発光表示装置の取付構造及び面発光表示装置用取付具を提供するものである。
【課題を解決するための手段】
【００１４】  本発明は、所要位置に装着用の貫通孔を形成した透光性若しくは半透光性の導光板からなる表示パネルと、
上記表示パネルの貫通孔より大きい外形の径大部と、この径大部の一端に設けられた上記表示パネルの貫通孔に挿入される挿入部とを有する非透光性の取付具とを備え、
上記取付具の挿入部を、上記表示パネルの前面側より貫通孔に挿入し、直接又はスペーサ部材を介して取付け面に係止、若しくは予め取付け面に装着されたスペーサ部材の一端に係止することにより、上記表示パネルを取付け面に装着するようにした面発光表示装置の取付構造において、
上記表示パネルの貫通孔の外周部に、上記取付具の径大部と挿入部との段差間に対応位置してＬＥＤ収納部を形成し、同ＬＥＤ収納部内に該表示パネルに光を照射するためのＬＥＤを収納し、装着時上記取付具の径大部にて上記貫通孔及びＬＥＤ収納部を上部から覆い隠すようにしたことを最も主要な特徴とする。【００１５】  第２に、下端部に装着用の貫通孔を形成した透光性若しくは半透光性の導光板からなる表示パネルと、
上記表示パネルの貫通孔の背面側に設けられ、表示パネル側端部に係止部を形成した支持足部材と、上記表示パネルの貫通孔の前面側に設けられ、同貫通孔より大きい外形の径大部と、この径大部の一端に設けられた上記表示パネルの貫通孔を介して上記支持足部材の係止部に係合する挿入部とを有する非透光性の取付具を備え、
上記取付具の挿入部を、上記表示パネルの前面側より貫通孔に挿入して上記支持足部材の係止部に係合することにより、上記表示パネルを支持足部材と取付具とで挟持すると共に、該表示パネル下端と支持足部材後端とで載置面上に傾斜状態に表示パネルを保持するようにした卓上式の面発光表示装置の取付構造において、
上記表示パネルの貫通孔の外周部に、上記取付具の径大部と挿入部との段差間に対応位置してＬＥＤ収納部を形成し、同ＬＥＤ収納部内に該表示パネルに光を照射するためのＬＥＤを収納し、装着時取付具の径大部にて上記貫通孔及びＬＥＤ収納部を上部から覆い隠すと共に、上記支持足部材若しくは径大部内にＬＥＤ電源回路を収納し、上記ＬＥＤからの配線を該ＬＥＤ電源回路と接続するようにしたことを主要な特徴とする。【００１６】  第３に、上記表示パネルに形成したＬＥＤ収納部を、貫通孔の左右両側にそれぞれ形成するようにしたことを主要な特徴とする。【００１７】  第４に、上記表示パネルに形成したＬＥＤ収納部を、表示パネルの中心方向に向かう楕円形状としたことを主要な特徴とする。【００１８】  第５に、表示パネルに形成した貫通孔よりも大きい外形の径大部と、この径大部の一端に設けられた上記表示パネルの貫通孔に挿入される挿入部とを有し、
上記取付具の挿入部を、上記表示パネルの前面側より貫通孔に挿入し、直接又はスペーサ部材を介して取付け面に係止、若しくは予め取付け面に装着されたスペーサ部材の一端に係止することにより、上記表示パネルを取付け面に装着するようにした非透光性の面発光表示装置用取付具において、
上記取付具の挿入部に、該表示パネルの板厚部位に対応してＬＥＤ収納部を形成すると共に、同ＬＥＤ収納部の外周壁の一部に開口部を形成したことを主要な特徴とする。【００１９】  第６に、上記面発光表示装置用取付具の挿入部に形成したＬＥＤ収納部の内面を鏡面としたことを主要な特徴とする。【００２０】  第７に、上記表示パネル又は取付具の挿入部に形成したＬＥＤ収納部内に、内部に埋設したＬＥＤとの隙間にシリコン部材を封入するようにしたことを主要な特徴とする。
【発明の効果】
【００２１】  本発明の面発光表示装置の取付構造は、表示パネルの貫通孔の外周部に、上記取付具の径大部と挿入部との段差間に対応位置してＬＥＤ収納部を形成し、装着時に上記径大部にて該貫通孔及びＬＥＤ収納部を上部から覆い隠すようにしたので、外見上あたかも表示パネルと取付具の頭部しか見えないにも拘わらず表示パネルに光を照射でき、デザイン的にも斬新で優れた面発光表示装置の取付構造を提供することができるという利点がある。しかも、既存の取付具を用いて成し得、且つ別途外部光源ユニットも必要せず簡単な構成にして安価に提供できる。【００２２】  また、卓上式の面発光表示装置の取付構造においては、取付具の径大部にて上記貫通孔及びＬＥＤ収納部を上部から覆い隠すと共に、ＬＥＤからの配線を支持足部材若しくは径大部内のＬＥＤ電源回路と接続するようにしたので、外見上あたかも表示パネルと支持足を兼ねた取付具しか見えないにも拘わらず表示パネルに光を照射でき、デザイン的にも斬新で優れた卓上式の面発光表示装置の取付構造を提供することができるという利点がある。【００２３】  また、貫通孔の両側にそれぞれＬＥＤ収納部を形成するようにしたものにおいては、両ＬＥＤ収納部に同色のＬＥＤを配置し同時に照射することにより表示パネルの表示部をより明るく表示させることができる。また、例えば左右の照射タイミングを制御して表示パネルの文字やパターン表示の明るさを変えたり、左右異なる色のＬＥＤを配置して異なる色でそれぞれ表示させる等、よりインパクトのある表示を行わせることもできるという利点がある。【００２４】  また、表示パネルに形成したＬＥＤ収納部を、表示パネルの中心方向に向かう楕円形状としたものにおいては、ＬＥＤからの光を表示パネルの中心側に集中させ、効率的に明るく表示させることができるという利点がある。【００２５】  また、面発光表示装置用取付具の挿入部に、該表示パネル厚み部位に対応してＬＥＤ収納部を形成すると共に、ＬＥＤ収納部の外周壁の一部に開口部を形成したものにおいては、装着時に外部からは見えない取付具の挿入部内に形成したＬＥＤ収納部内にＬＥＤを埋設することができ、外見上あたかも表示パネルと取付具の頭部しか見えないにも拘わらず表示パネルに光を照射すると共に、デザイン的にも斬新で優れた面発光表示装置用取付具を提供することができるという利点がある。この場合、表示パネルは貫通孔のみを形成するだけでよく、該表示パネルに別途ＬＥＤ収納部を形成する必要もなく、取付作業も簡易化できる。【００２６】  また、面発光表示装置用取付具の挿入部内部に形成したＬＥＤ収納部の内壁面を鏡面に形成したものにおいては、ＬＥＤから反開口部方向に照射された光を乱反射させて開口部に導き、より効率的に表示パネルへ光を放射することができるという利点がある。【００２７】  また、ＬＥＤ収納部と内部に埋設したＬＥＤとの隙間にシリコン部材を封入するようにしたものにおいては、ＬＥＤからの光を減衰を極力抑えより効率的に表示パネルに導くことができると共に、ＬＥＤの支持を確実にでき、他物との不測な接触、破損を防止できるという利点がある。
【図面の簡単な説明】
【００２８】
【図１】本発明の一実施例の面発光表示装置の取付構造の取付状態を示す斜視図である。
【図２】図１の面発光表示装置の要部展開斜視図である。
【図３】本発明の一実施例の面発光表示装置の取付構造の要部縦断面図である。
【図４】本発明の一実施例の面発光表示装置の取付構造の要部横断面図である。
【図５】本発明の一実施例の面発光表示装置の取付構造におけるＬＥＤの取付状態を示し、（Ａ）は貫通孔の両側にＬＥＤ収納部を形成した状態を示す説明図、（Ｂ）は貫通孔の内側にＬＥＤ収納部を１つ形成した状態を示す説明図である。
【図６】本発明の他の実施例の面発光表示装置の取付構造を示し、吊り下げタイプの面発光表示装置の取付構造の要部縦断面図である。
【図７】本発明の他の実施例の面発光表示装置の取付構造を示し、スペーサ部材を２構成部材により構成するようにしたタイプを示す要部分解断面図である。
【図８】本発明の他の実施例の面発光表示装置の取付構造を示し、卓上式の面発光表示装置の取付構造の取付状態を示す斜視図である。
【図９】図８の卓上式の面発光表示装置の取付構造を示す要部断面図である。
【図１０】本発明の他の実施例の面発光表示装置用取付具を示す展開斜視図である。
【図１１】図１０の面発光表示装置用取付具の取り付け状態を示す要部分解断面図である。
【発明を実施するための形態】
【００２９】  外見上光源手段が見えないにも拘わらず、表示パネルに光を照射でき、デザイン性に優れた面発光表示装置の取付構造及び面発光表示装置用取付具を提供するという目的を、簡単な構造にて実現した。
【実施例１】
【００３０】  以下、図１乃至図５を用いて本発明の一実施例の面発光表示装置の取付構造について詳述する。
図１において面発光表示装置本体１は、表示パネル２の所要位置例えば４隅部を非透光性の取付具６によって取付け面（壁面）ａに対して所要間隔浮かせた状態で装着されている。【００３１】  上記表示パネル２は、例えば５ｍｍ程度の厚さのアクリル樹脂製又はポリ塩化ビニール製又はガラス製などから成る透光性若しくは半透光性の導光板から構成され、同図１に示すように少なくとも片面に看板、広告、または案内等に係わる文字やデザイン等（図１においては男性のデザイン画とＧＥＮＴＬＥＭＡＮの文字）のパターンを印刷、エッチング、又はそれらを印刷したフィルム貼付などにて表示部３を形成している。
また、表示パネル２の４隅部には図２乃至図５に示すように装着用の貫通孔４を形成すると共に、図２及び図５（Ａ）に示すように同貫通孔４を挟んでその左右に表示パネル２の中心方向に向かう楕円形状のＬＥＤ収納部５を形成している。【００３２】  一方、取付具６は、図２乃至図４に示すように上記表示パネル２の前面側に設けられ、装着時に上記表示パネル２の貫通孔４及びＬＥＤ収納部５を少なくとも覆い隠す程度の大きさの径大部７と、その一端に設けた該貫通孔４を介して取付け面（壁面）ａに係合（螺合）する挿入部８を有している。これにより、上記表示パネル２の貫通孔４の外周部に形成したＬＥＤ収納部５は、取付具６の径大部７と挿入部８との段差ｄ間に位置して形成されることになる。また、上記表示パネル２の背面側には、装着時上記表示パネル２を取付具６と挟持すると共に、取付け面（壁面）ａから表示パネルを所要間隔浮かせるための筒状のスペーサ部材１０を設けている。【００３３】  上記径大部７は、図２に示すように外周に雄ネジ部を形成した台座部７Ａと、内部に雌ネジ部を形成したキャップ部７Ｂから形成されており、この両雄・雌ネジ部の螺合により台座部７Ａにキャップ部７Ｂを装着するようにしている。【００３４】  また、上記ＬＥＤ収納部５内には、図３乃至図５（Ａ）に示すように表示パネル２を照射するためのＬＥＤ９を埋設すると共に、同収納部内壁とＬＥＤ９との隙間にシリコン部材１２を充填している。
また、ＬＥＤ９からの配線は図３及び図４に示すようにスペーサ部材１０の内部を通して取付け面（壁面）ａ側に導出し、例えば図３に示すように天井裏に設置されたＬＥＤ電源回路１３と接続するようにしている。【００３５】  なお、上記実施例においては、上記ＬＥＤ収納部５を図５（Ａ）に示すように貫通孔４を挟んでその左右両側に形成したものについて説明したが、例えば図５（Ｂ）に示すように貫通孔４の内側に位置して表示パネル２の中心方向に向かう１つの楕円形状のＬＥＤ収納部５を形成するようにしてもよい。
また、上記実施例においては、上記取付具６の径大部７を台座部７Ａとキャップ部７Ｂで形成したものについて説明したが、必要に応じて両者を一体化してもよい。更には、上記径大部７と挿入部８とを必要に応じて別体としても構わない。【００３６】  次ぎに取付時及び使用時について説明する。
先ず、表示パネル２のＬＥＤ収納部５内にＬＥＤ９を同ＬＥＤ９からの光が表示パネル２の中心側方向に照射するようにして埋設した後、同ＬＥＤ収納部５とＬＥＤ９との隙間にシリコン部材１２を注入し、該ＬＥＤ９を支持すると共に、他物との不測な接触時の破損を極力防止する。【００３７】  そして、上記表示パネル２の前面側より取付具６の挿入部７を各貫通孔４に挿入し、表示パネル２の背面側に設けたスペーサ部材１０を介して取付け面（壁面）ａに係合（螺合）し、同スペーサ部材１０と取付具６とで表示パネル２を挟持すると共に、取付け面（壁面）ａに対して所要間隔浮かせた状態で装着する。しかる後、径大部７の台座部７Ａにキャップ部７Ｂを取り付ける。これにより、表示パネル２の貫通孔４及びＬＥＤ収納部５は取付具６の径大部７にて覆い隠され、あたかも表示パネル２とその４隅の取付具６の径大部７のキャップ部７Ｂのみが見える状態となるため、あたかも光源手段が存在しないように錯覚を付与することができる。【００３８】  このように、別途外部光源手段を用いることなく、表示パネル２に取付具６の径大部７と挿入部８との段差ｄに対応してＬＥＤ収納部５を形成するという極めて簡単な構成にしてなし得、安価に実施することができる。【００３９】  なお、ＬＥＤ４からの配線は、装着時にスペーサ部材１０の内部を通してその一端に形成した切り欠き部１１を介して外部に導出し、更に取付け面（壁面）ａに沿って図２に示すように天井裏に導き、同天井裏に設置したＬＥＤ電源回路１３と接続して取付作業を終了する。【００４０】  使用時には、ＬＥＤ電源回路７をＯＮして通電し、取付具６の径大部７にて覆い隠されたＬＥＤ収納部５内のＬＥＤ９を発光させると、４隅に配置した各ＬＥＤ９の光はＬＥＤ収納部５内壁面端面より表示パネル２内に入射し、それぞれ表示パネル２の中心方向に向かって照射するので、表示パネル２の表示部３を表示する。この際、光源手段が見えないにも拘わらずあたかも取付具６から照射されるようになるので、一見不思議な雰囲気を与えることができると共に、デザイン的にも斬新で優れた面発光表示装置を提供することができるものとなる。【００４１】  また、貫通孔４の左右に形成した上記ＬＥＤ収納部５は、該表示パネル２の中心方向に向かう楕円形状としているので、各ＬＥＤ９よりの光は表示パネル２の中心方向に向かって照射し効率よく表示パネル全体を照らすことができる。また、ＬＥＤ９より光は、ＬＥＤ収納部５内壁とＬＥＤ９との隙間に充填したシリコン部材１２によりその減衰を極力抑えられ、より多くの光を表示パネル２に入射させることができる。【００４２】  なお、図５（Ａ）に示すように貫通孔４の左右にそれぞれＬＥＤ収納部５を形成するようにしたものにおいては、例えば左右のＬＥＤ収納部５に同色又は異なる色のＬＥＤ９を埋設して、同左右のＬＥＤ９の照射タイミングを制御することにより、表示パネル２をより明るく表示することができると共に、表示明るさを変えたり、又は異なる色でそれぞれ表示するなど、よりインパクトのある表示を行わせることができる。場合により、一部だけ異なる色のＬＥＤ９を配置することにより、表示パネル２の一部を違う色で表示することも自由であり、カラフルなレイアウト表示も行わせることができる。【００４３】  本発明は、上述した実施形態の面発光表示装置の取付構造に限定されるものではなく、例えば次ぎのような実施形態であってもよい。
図６は天吊りタイプの面発光表示装置の取付構造を示し、上記実施例と同一部分については同一番号を付与し説明を省略する。【００４４】  天吊りタイプの面発光表示装置の取付構造の場合には、例えば図６に示すように上記スペーサ部材を延設しその一端を折り曲げて断面略Ｌ字形状の支持具１４と成し、同支持具１４の両端部にそれぞれ装着用の固定部（図６ではナット）１５Ａ、１５Ｂを設ける。そして、その一端の固定部１５Ａにボルトを装着して天井に固定する一方、他端の固定部１５Ｂに上記取付具６の挿入部８を表示パネル２の貫通孔４を介して係合することにより、同支持具１４の先端に表示パネル２を装着、即ち取付け面となる天井面に対して装着固定する。【００４５】  この際、上述の如く取付具６の径大部７にて表示パネル２の貫通孔４及びＬＥＤ収納部５を覆い隠す。また、ＬＥＤ収納部５に埋設したＬＥＤ９よりの配線は、支持具１４の両端に形成した開口１６及び支持具１４内を通して天井内に導出し、同天井内に設置したＬＥＤ電源回路１３と接続すればよい。
上記支持具１４の一端側を床や横壁に装着するようにすれば、床置きタイプや壁突き出しタイプとして使用できることは云うまでもない。【００４６】  図７は上述したスペーサ部材を予め取付け面に対して装着し、このスペーサ部材に上記取付具を係止するようにした面発光表示装置の取付構造を示し、同じく上記実施例と同一部分については同一番号を付与し説明を省略する。
図７に示すように頭部外周に係止段部１９を有する補助ナット部材１８と、一端に上記係止段部１９に係合する係合溝部２１を、他端に取付具６の挿入部８と係合する係止部２２を有する固定受け部２０とからスペーサ部材１７を構成する。また、固定受け部２０には配線挿通穴２３を形成する。【００４７】  そして取付時には、先ず補助ナット部材１８を取付け面（壁面）ａに対して装着する。一方、表示パネル２にはＬＥＤ収納部５内にＬＥＤ９を埋設すると共に、その隙間にシリコン部材１２を注入した後、取付具６の挿入部８を表示パネル２の貫通孔４に挿入して固定受け部２０の係止部２２に係合し、予め該表示パネル２に取付具６及び固定受け部２０を装着する。なお、ＬＥＤ９よりの配線は固定受け部２０の配線挿通穴２３を通して他端側に導出しておく。しかる後、表示パネル２に装着した固定受け部２０を取付け面（壁面）ａに装着した補助ナット部材１８に該係止段部１９と係合溝部２１を係合して両者を結合することにより、表示パネル２を取付け面（壁面）ａに装着する。これにより、上記同様に取付具６の径大部７で表示パネル２の貫通孔４及びＬＥＤ収納部５を覆い隠した状態で装着することができ、光源手段が見えないにも拘わらずあたかも取付具３から照射される雰囲気をかもちだし、デザイン的にも斬新な面発光表示装置を提供することができる。
【実施例２】
【００４８】  次ぎに、卓上タイプ面発光表示装置の取付構造について、図８及び図９を用いて説明する。なお、上記実施例と同一部品については同一番号を付し説明を省略する。
図８は卓上タイプ面発光表示装置の斜視図であり、表示パネル２にはその下端部の一側に貫通孔４とその外周部にＬＥＤ収納部５を形成している。表示パネル２のスタンド部材となる筒状の支持足部材２４には、表示パネル２側端面に取付具６の挿入部８を係合する係止部２５と、その端面に配線挿通穴を形成すると共に、内部に釦電池などの電源とＬＥＤ電源回路１３を収納している。なお、この支持足部材２４は前後に分割可能な構造としている。一方、取付具６は、図９に示すように上記同様表示パネル２の貫通孔４及びＬＥＤ収納部５を少なくとも覆い隠す程度の大きさの径大部７と、その一端に設けた該貫通孔４を介して支持足部材２４の係止部２５に係合（螺合）する挿入部８を有している。【００４９】  取付時には、表示パネル２のＬＥＤ収納部５にＬＥＤ９を埋設し、その隙間にシリコン部材１２を充填する。そして、ＬＥＤ９からの配線を支持足部材２４の配線挿入穴に通しておく。しかる後、取付具６の挿入部８を表示パネル２の貫通孔４に挿入して支持足部材２４の係止部２５に係合することにより、上記取付具６の径大部７にて表示パネル２の貫通孔４及びＬＥＤ収納部５を覆い隠した状態で、該表示パネル２を上記取付具６と支持足部材２４で挟持保持せしめる。次ぎに、上記支持足部材２４を分離して、ＬＥＤ９よりの配線をＬＥＤ電源回路１３に接続した後、再び支持足部材２４を結合する。この状態で立てると、上記表示パネル２の下端と支持足部材２４の後端が卓上面に接し、表示パネル２が傾斜した状態で保持される。
そして、上記支持足部材２４に設けたスイッチ２７を操作すると、上記ＬＥＤ収納部５内に埋設したＬＥＤ９が発光し、表示パネルの表示部３を表示させる。これにより、上記同様に取付具６の径大部７で表示パネル２の貫通孔４及びＬＥＤ収納部５を覆い隠してなるので、光源手段が見えないにも拘わらずあたかも取付具６から照射される雰囲気をかもちだし、デザイン的にも斬新な卓上タイプの面発光表示装置を提供することができる。
なお、上記実施例においては支持脚部材２４内にＬＥＤ電源回路と電源等を収納したが、例えば図示しないが取付具６の径大部７内に収納し、上記ＬＥＤ９よりの配線と接続してもよい。
【実施例３】
【００５０】  次ぎに、本発明の面発光表示装置用取付具について、図１０乃至図１１を用いて説明する。なお、上記実施例と同一部品については同一番号を付し説明を省略する。【００５１】  図１０及び図１１に示すように、本発明の面発光表示装置用取付具２８は、表示パネル２の前面側に設けられ上記表示パネル２の貫通孔４よりも大きい外形の径大部２９と、その一端に設けられた該表示パネル２の貫通孔４に挿入される挿入部３０を有してなり、その挿入部３０の外周に後述するスペーサ部材と螺合するための雄ねじ部３１を形成すると共に、装着時上記表示パネル２の板厚部位に対応して一部に開口部３３を形成したＬＥＤ収納部３２を形成し、同ＬＥＤ収納部３２内にＬＥＤ９を埋設している。また、上記ＬＥＤ収納部３２の内側面を鏡面３２ａとしている。【００５２】  一方、上記表示パネル２の背面側には、装着時上記表示パネル２を面発光表示装置用取付具２８と挟持すると共に、取付け面（壁面）ａから表示パネル２を所要間隔浮かせるためのスペーサ部材３４を設けている。このスペーサ部材３４は、取付け面（壁面）ａに装着される頭部外周に係止段部３６を有する補助ナット部材３５と、一端に上記係止段部３６に係合する係合溝部３８を、他端に内側面に上記面発光表示装置用取付具２８の挿入部３０の雄ねじ３１と螺合する雌ねじ部４０を形成した係止凹部３９を形成した固定受け部３７から構成している。【００５３】  なお、上記スペーサ部材３４の中央部には前後の係合溝部３８と係止凹部３９を連通すると共に、補助ナット部材３５側端部の外周面に連通する配線挿通穴４１を形成し、上記ＬＥＤ収納部３２内に埋設したＬＥＤ９よりの配線を配線挿通穴４１を介して取付け面（壁面）ａ側に導出し、図示しない外部ＬＥＤ電源回路と接続するようにしている。【００５４】  次ぎに、その取り付け使用時について説明する。
先ず、面発光表示装置用取付具２８の挿入部３０のＬＥＤ収納部３２内にＬＥＤ９を埋設し、その隙間にシリコン部材１２を注入し、該ＬＥＤ９を支持すると共に、他物との不測な接触時の破損を極力防止する。【００５５】  そして、上記表示パネル２の前面側より面発光表示装置用取付具２８の挿入部３０を各貫通孔４に挿入し、同挿入部３０の雄ねじ部３１を固定受け部３７の係止凹部３９の雌ねじ部４０と係合（螺合）し、該面発光表示装置用取付具２８と固定受け部３７とで表示パネル２を挟持する。この際、挿入部３０の開口部３３が表示パネル２の中央方向に向うように配置する。【００５６】  次ぎに、この表示パネル２に装着された固定受け部３７の係合溝部３８を、予め取付け面（壁面）ａに装着された補助ナット部材３５の係止段部３６と係合して、取付け面（壁面）ａに対して所要間隔浮かせた状態で装着する。【００５７】  これにより、面発光表示装置用取付具２８の挿入部３０に形成したＬＥＤ収納部３２は径大部２９により覆い隠され、あたかも表示パネル２とその４隅の面発光表示装置用取付具２８の径大部２９の頭部のみが見える状態となるため、あたかも光源手段が存在しないように錯覚を与える。【００５８】  なお、ＬＥＤ収納部３２内に埋設したＬＥＤ９よりの配線は、上記面発光表示装置用取付具２８と固定受け部３７とを結合する際に、固定受け部３７の配線挿通穴４１を介して取付け面（壁面）ａ側に導出し、図示しないが天井などに設置したＬＥＤ電源回路と接続する。【００５９】  使用時には、ＬＥＤ電源回路１３をＯＮして通電し、面発光表示装置用取付具２８に形成したＬＥＤ収納部３２内のＬＥＤ９を発光させると、４隅に配置した各ＬＥＤ９の光は、同ＬＥＤ収納部３２の一側に形成した開口部３３より表示パネル２の貫通孔４内周端面より表示パネル２内に入射し、それぞれ表示パネル２の中心方向に向かって照射するので、表示パネル２の表示部３を表示する。この際、光源手段が見えないにも拘わらずあたかも取付具６から照射されるようになるので、一見不思議な雰囲気を与えることができると共に、デザイン的にも斬新で優れた面発光表示装置を提供することができるものとなる。【００６０】  なお、ＬＥＤ収納部３２の内壁面を鏡面３２ａとしてなるので、直接開口部３３に放射されなかった光は、この鏡面３２ａを乱反射して開口部３３に導かれ、同開口部３３より表示パネル２側に放射されるので、より効率的に光を表示パネル２に入射させることができる。【００６１】  このように、面発光表示装置用取付具２８の挿入部３０にＬＥＤ収納部３２を形成するという極めて簡単な構成にしてなし得、安価に実施することができると共に、表示パネル２には面発光表示装置用取付具２８の挿入部３０に対応する貫通孔４を形成するだけで、貫通孔４の外周部に別途ＬＥＤ収納部を形成する必要もなく、そのための別途加工も不要で取付作業もより簡便化することができる。
【符号の説明】
【００６２】１    面発光表示装置本体
２    表示パネル
３    表示部
４    貫通孔
５、３２    ＬＥＤ収納部
６、２８    取付具
７、２９    径大部
７Ａ    台座部
７Ｂ    キャップ部
８、３０    挿入部
９    ＬＥＤ
１０、１７、３４    スペーサ部材
１１    切り欠き部
１２    シリコン部材
１３    ＬＥＤ電源回路
１４    支持具
１５Ａ、１５Ｂ    固定部
１８、３５    補助ナット部材
１９、３６    係止段部
２０、３７    固定受け部
２１、３８    係止溝部
２２、２５    係止部
２３、４１    配線挿通穴
２４    支持足部材
２７    スイッチ
３１    雄ねじ部
３２ａ    鏡面
３３    開口部
３９    係止凹部
４０    雌ねじ部
【図１】
2011053675.tif 000003
【図２】
2011053675.tif 000004
【図３】
2011053675.tif 000005
【図４】
2011053675.tif 000006
【図５】
2011053675.tif 000007
【図６】
2011053675.tif 000008
【図７】
2011053675.tif 000009
【図８】
2011053675.tif 000010
【図９】
2011053675.tif 000011
【図１０】
2011053675.tif 000012
【図１１】
2011053675.tif 000013